(57)【要約】【課題】多様な高さの幕板開口に対し給気ユニット開口を容易に合わせることができるレンジフード用給気ユニットを提供する。【解決手段】給気ユニット１は、給気送風部２と、給気ボックス３と、を含む給気ユニット１であって、給気ボックス３は、給気ユニット開口６を有し、給気ユニット開口６は、幕板７が有する幕板開口８に連通し、給気ボックス３は、上側ボックス９と、下側ボックス１０と、を含み、上側ボックス９および下側ボックス１０は、箱状の筐体であり、上側ボックス９は、下側ボックス１０を覆うように下側ボックス１０に接続され、上側ボックス９は、給気ユニット開口６を有し、幕板開口８の高さと給気ユニット開口６の高さが合うように上下方向に可動する。【選択図】図３
2019060550.tif 000002
【特許請求の範囲】
【請求項１】
給気送風部と、給気ボックスと、を含む給気ユニットであって、
前記給気送風部は、給気口から外気を吸い込む給気送風機を含み、
前記給気ボックスは、給気ユニット開口を有し、
前記給気ユニット開口は、幕板が有する幕板開口に連通し、
前記給気送風機により前記給気口から吸い込まれた外気は、前記給気送風部、前記給気ボックスの内部、および給気ユニット開口を順に通過した後に、前記幕板開口を介して室内に送風され、
前記給気ボックスは、上側ボックスと、下側ボックスと、を含み、
前記上側ボックスおよび前記下側ボックスは、箱状の筐体であり、
前記上側ボックスは、前記下側ボックスを覆うように前記下側ボックスに接続され、
前記下側ボックスは、前記給気送風部に接続され、
前記上側ボックスは、前記給気ユニット開口を有し、前記幕板開口の高さと前記給気ユニット開口の高さが合うように上下方向に可動することを特徴とするレンジフード用給気ユニット。
【請求項２】
前記上側ボックスは、水平方向と比較して上下方向に長い長穴を有し、
前記長穴は、前記給気ユニット開口が設けられた面と隣接する面に設けられ、
位置決め部材を前記長穴に挿入することにより、前記幕板開口の高さと前記給気ユニット開口の高さが合う状態で前記上側ボックスと前記下側ボックスが連結されることを特徴とする請求項１に記載のレンジフード用給気ユニット。
【請求項３】
前記上側ボックスは、前記幕板に当接する面の前記給気ユニット開口近傍に気密保持部材を備え、
前記気密保持部材は、前記幕板と前記上側ボックスとで仕切られる空間を塞ぐように設けられ、前記幕板開口近傍の幕板に押し当てられることを特徴とする請求項１または２に記載のレンジフード用給気ユニット。
【請求項４】
前記給気送風機により前記給気口から吸い込まれた外気が通過するフィルターと、
前記給気送風機から送風される外気の取入れ、遮断を調整するダンパーと、を備え、
前記フィルターおよび前記ダンパーは、前記下側ボックスの内部に設けられることを特徴とする請求項１〜３の何れか１項に記載のレンジフード用給気ユニット。
【請求項５】
汚染された空気を吸い込む吸込口を有するフード部と、
前記フード部の上方に設けられ、前記吸込口から吸い込まれた空気を排気する排気送風部と、
請求項１〜４の何れか１項に記載のレンジフード用給気ユニットと、を備えたことを特徴とするレンジフード。
【請求項６】
前記レンジフード用給気ユニットは、前記排気送風部の上方に設けられ、
前記幕板開口は、前記幕板の天井側端部近傍に設けられ、
前記幕板開口に外気の吹き出し方向を調整するルーバーを備えたことを特徴とする請求項５に記載のレンジフード。
【請求項７】
天井に固定されるレンジフードであって、
前記幕板は、前記フード部に接続される第１幕板と、前記第１幕板に接続される第２幕板と、を含み、
前記幕板開口は、前記第２幕板に設けられ、
前記給気ユニットは、前記第２幕板に接続され、
前記第２幕板は上下方向に可動することを特徴とする請求項５または６に記載のレンジフード。
【発明の詳細な説明】
【技術分野】
【０００１】
本発明は、外気を室内に送風するレンジフードと連動する給気ユニットに関するものである。
【背景技術】
【０００２】
従来、この種のレンジフード用給気ユニットは、給気開口部が定位置に固定されたものが知られている（例えば、特許文献１参照）。
【０００３】
以下、そのレンジフード用給気ユニットについて図１５を参照しながら説明する。
【０００４】
図１５（ａ）および（ｂ）に示すように、フード本体１０１の上部に外気を室内に送風する給気ユニット部１１０を設け給気ユニット部１１０の前面に給気開口部１１３を備え、フード本体１０１と連動して室内に外気を取り込む構成としている。
【先行技術文献】
【特許文献】
【０００５】
【特許文献１】特開平１−１１４６４８号公報
【発明の概要】
【発明が解決しようとする課題】
【０００６】
このような従来の給気ユニットにおいては、室内に外気を送風する給気ユニットの開口部が定位置に固定されている構成となっていたので、多様な天井高さやキッチン周りが開放的なアイランド型のキッチン等に対し、給気ユニット側の開口と幕板の開口の高さを合わせることが困難であるという課題を有していた。
【０００７】
そこで本発明は、上記従来の課題を解決するものであり、多様な天井高さやキッチン周りが開放的なアイランド型のキッチン等に対し、給気ユニット側の開口と幕板の開口の高さを容易に合わせることができる給気ユニットを提供することを目的とする。
【課題を解決するための手段】
【０００８】
そして、この目的を達成するために、本発明の一態様に係る給気ユニットは、給気送風部と、給気ボックスと、を含む給気ユニットであって、前記給気送風部は、給気口から外気を吸い込む給気送風機を含み、前記給気ボックスは、給気ユニット開口を有し、前記給気ユニット開口は、幕板が有する幕板開口に連通し、前記給気送風機により前記給気口から吸い込まれた外気は、前記給気送風部、前記給気ボックスの内部、および給気ユニット開口を順に通過した後に、前記幕板開口を介して室内に送風され、前記給気ボックスは、上側ボックスと、下側ボックスと、を含み、前記上側ボックスおよび前記下側ボックスは、箱状の筐体であり、前記上側ボックスは、前記下側ボックスを覆うように前記下側ボックスに接続され、前記下側ボックスは、前記給気送風部に接続され、前記上側ボックスは、前記給気ユニット開口を有し、前記幕板開口の高さと前記給気ユニット開口の高さが合うように上下方向に可動することとしたものであり、これにより所期の目的を達成するものである。
【発明の効果】
【０００９】
本発明によれば、多様な室内の天井高さに対応するために幕板の高さが変わり、それに伴って幕板開口の高さが変わった場合でも、上側ボックスが上下に可動することにより、幕板開口と給気ユニット開口を容易に合わせることができる、という効果を得ることができる。
【図面の簡単な説明】
【００１０】
【図１】本発明の実施の形態１に係る給気ユニットを示す斜視図
【図２】同給気ユニットの平面図
【図３】同給気ユニットの分解斜視図
【図４】同給気ユニットの断面図
【図５】同給気ユニットの上下調整を示す正面、側面図
【図６】同給気ユニットの気密保持部材を備えた状態を示す側面図
【図７】本発明の実施の形態２に係るレンジフードを示す正面図
【図８】同レンジフードの平面図
【図９】同レンジフードの側面図
【図１０】同レンジフードの断面図
【図１１】本発明の実施の形態３に係るレンジフードの正面図
【図１２】同レンジフードの平面図
【図１３】同レンジフードの側面図
【図１４】同レンジフードの断面図
【図１５】（ａ）従来の給気ユニットを示す斜視図（ｂ）従来の給気ユニットを示す断面図
【発明を実施するための形態】
【００１１】
本発明の一態様に係る給気ユニットは、給気送風部と、給気ボックスと、を含む給気ユニットであって、前記給気送風部は、給気口から外気を吸い込む給気送風機を含み、前記給気ボックスは、給気ユニット開口を有し、前記給気ユニット開口は、幕板が有する幕板開口に連通し、前記給気送風機により前記給気口から吸い込まれた外気は、前記給気送風部、前記給気ボックスの内部、および給気ユニット開口を順に通過した後に、前記幕板開口を介して室内に送風され、前記給気ボックスは、上側ボックスと、下側ボックスと、を含み、前記上側ボックスおよび前記下側ボックスは、箱状の筐体であり、前記上側ボックスは、前記下側ボックスを覆うように前記下側ボックスに接続され、前記下側ボックスは、前記給気送風部に接続され、前記上側ボックスは、前記給気ユニット開口を有し、前記幕板開口の高さと前記給気ユニット開口の高さが合うように上下方向に可動するという構成を有する。
【００１２】
これにより、給気ユニット開口と幕板開口の高さを合わせる必要があるところ、給気ユニット開口を設けた上側ボックスが上下に可動することで、多様な高さの幕板開口に対し給気ユニット開口を容易に合わせることができるという効果を奏する。
【００１３】
また、前記上側ボックスは、水平方向と比較して上下方向に長い長穴を有し、前記長穴は、前記給気ユニット開口が設けられた面と隣接する面に設けられ、位置決め部材を前記長穴に挿入することにより、前記幕板開口の高さと前記給気ユニット開口の高さが合う状態で前記上側ボックスと前記下側ボックスが連結されるという構成にしてもよい。
【００１４】
これにより、給気ユニット開口の位置が幕板開口の位置に合うように、上側ボックスを上下方向に調整した後、位置決め部材を長穴に挿入することで上側ボックスと下側ボックスが締結されることとなる。したがって、開口部（幕板開口および給気開口ユニット）を上下方向に調整した後の固定が簡単にでき、施工が容易であるという効果を奏する。
【００１５】
また、前記上側ボックスは、前記幕板に当接する面の前記給気ユニット開口近傍に気密保持部材を備え、前記気密保持部材は、前記幕板と前記上側ボックスとで仕切られる空間を塞ぐように設けられ、前記幕板開口近傍の幕板に押し当てられるという構成にしてもよい。
【００１６】
この構成によれば、幕板開口と給気ユニット開口の間に気密保持部材が密着して入ることとなる。これにより、外気は、給気送風部、給気ボックスの内部、および給気ユニット開口を順に通過した後、気密保持部材によって別方向に漏れることが抑制され、幕板開口を介して室内に効率的に送風されるという効果を奏する。
【００１７】
また、前記給気送風機により前記給気口から吸い込まれた外気が通過するフィルターと、前記給気送風機から送風される外気の取入れ、遮断を調整するダンパーと、を備え、前記フィルターおよび前記ダンパーは、前記下側ボックスの内部に設けられるという構成にしてもよい。
【００１８】
この構成によれば、外気の空気を清浄化するフィルターと、外風の取入れ、遮断を調整できるダンパーの両部品を、上下駆動しない下側ボックスに集約させることとなる。これにより、上側ボックスは、下側ボックスが全て収まる空間を内部に確保できることとなるので、上側ボックスの上下方向の可動範囲が大きく取れ、多様な天井高さに対応できるという効果をさらに高めることができる。
【００１９】
また、汚染された空気を吸い込む吸込口を有するフード部と、前記フード部の上方に設けられ、前記吸込口から吸い込まれた空気を排気する排気送風部と、上述のレンジフード用給気ユニットと、を備えたレンジフードという構成にしてもよい。
【００２０】
これにより、レンジフードと給気ユニットが一体となるので、レンジフード、給気ユニット、幕板の施工が容易にできるという効果を奏する。
【００２１】
また、前記レンジフード用給気ユニットは、前記排気送風部の上方に設けられ、前記幕板開口は、前記幕板の天井側端部近傍に設けられ、前記幕板開口に外気の吹き出し方向を調整するルーバーを備えたという構成にしてもよい。
【００２２】
これにより、幕板開口を幕板の天井側端部近傍に設けることで、排気送風部の排気吸込口と室内への外気の送風吹出口との距離を空けることができる。さらに、幕板開口に設けたルーバーで外気の吹き出し方向を変えることとなるので、排気と外気とのショートカットを抑制できる。さらに使用者や天井に直接外気が当たることを抑制できるため、使用者が寒気を感じたり、天井が汚れたりするなどの不満を改善できるという効果を奏する。
【００２３】
また、天井に固定されるレンジフードであって、前記幕板は、前記フード部に接続される第１幕板と、前記第１幕板に接続される第２幕板と、を含み、前記幕板開口は、前記第２幕板に設けられ、前記給気ユニットは、前記第２幕板に接続され、前記第２幕板は上下方向に可動するという構成にしてもよい。
【００２４】
これにより、上下方向に可動する幕板開口を設けた第２幕板と給気ユニットの開口部（幕板開口および給気ユニット開口）の高さを合わせたまま、第２幕板および給気ユニットが上下方向に可動となるので、多様な天井高さに対応できるという効果をさらに高めることができる。
【００２５】
以下、本発明の実施の形態について図面を参照しながら説明する。
【００２６】
（実施の形態１）
まず、実施の形態１に係る給気ユニット１の構成について、図１〜４を用いて説明する。なお、図４は図２のＢ−Ｂ断面を示す断面図である。
【００２７】
給気ユニット１は、給気送風部２と、給気ボックス３と、を含む。
【００２８】
給気送風部２は、給気口４から外気を吸い込む給気送風機５と、給気送風機５を収納する給気送風機ボックス５０と、を含む。
【００２９】
給気送風機５により給気口４から吸い込まれた外気は、給気送風部２、給気ボックス３の内部、および給気ユニット開口６を順に通過した後に、幕板開口８を介して室内に送風される。
【００３０】
幕板開口８は、幕板７に設けられる。
【００３１】
幕板７は、例えば意匠面からレンジフードに設けられ、給気ユニット１の前面に設けられる。
【００３２】
給気ボックス３は、上側ボックス９と、下側ボックス１０と、給気ユニット開口６と、を含む。
【００３３】
上側ボックス９および下側ボックス１０は、箱状の筐体である。
【００３４】
上側ボックス９は、上側箱部２５と、上側蓋部２６と、を含む。
【００３５】
上側箱部２５は、上面および側面を直角に曲げた箱形状で、上側蓋部２６は、上側箱部２５の前面（例えば幕板７側の面）を覆う。すなわち上側蓋部２６は、例えば幕板７と当接する上側箱部２５の一側面を形成する。
【００３６】
上側ボックス９は、下側ボックス１０を覆うように一回り大きくなっている。また、上側ボックス９は、下側ボックス１０を覆うように接続される。
【００３７】
給気ユニット開口６は、上側蓋部２６に設けられ、幕板開口８に連通する。
【００３８】
下側ボックス１０は、下側箱部２３と、下側蓋部２４と、を含む。
【００３９】
下側箱部２３は、下面および側面を直角に曲げた箱形状で、下側蓋部２４は、下側箱部２３の前面（例えば幕板７側の面）を覆う。すなわち下側蓋部２４は、例えば幕板７と当接する下側箱部２３の一側面を形成する。
【００４０】
また、下側ボックス１０は、給気送風部２に接続され、上下方向に可動しない。
【００４１】
上側ボックス９の内部空間と下側ボックス１０の内部空間は連通していて、上側ボックス９と下側ボックス１０の内部を外気が通過する。
【００４２】
次に、図５を用いて、給気ボックス３の動作について説明する。
【００４３】
給気ユニット１は、上側ボックス９（上側箱部２５および上側蓋部２６）が上下にスライドする（可動する）ことで、給気ユニット開口６の位置が上下方向に調整が可能である。
【００４４】
このような構成によれば、下側ボックス１０の位置は固定したままで、上側ボックス９が上下方向に可動することにより、幕板開口８の高さがを異なる場合においても幕板開口８の高さと給気ユニット開口６の高さを容易に合わせることができる。すなわち、昨今の家屋における多様な天井高さに対応する幕板７の幕板開口８の開口位置も多様な高さになる状況に対応可能である。
【００４５】
なお、図５（ａ）に示すように、上側ボックスが上方向にずれていない状態においては、給気送風部２、下側ボックス１０の内部、給気ユニット開口６を順に通過した後に、幕板開口８を介して室内に送風される。
【００４６】
また、上側ボックス９は、水平方向と比較して上下方向に長い長穴１１を有していてもよい。
【００４７】
長穴１１は、給気ユニット開口６が設けられた面と隣接する面に設けられ、位置決め部材１２（例えばねじ）を長穴１１に挿入できる構成を備えていてもよい。
【００４８】
長穴１１を備えている場合、長穴１１の上下方向の長さが、上側ボックス９の可動範囲である。また、図５（ｂ）、（ｃ）に示すように、上側ボックス９が上方向にスライドすると、下側ボックス１０が露出する構成となっている。
【００４９】
位置決め部材１２をねじで構成した場合、長穴１１にねじを挿入し、下側ボックス１０と締結させるその際ねじを仮止めの状態にしておけば、長穴１１で上下方向に可動でき、合わせたい高さの位置になったときにねじを本締めして下側ボックス１０と上側ボックス９を締結させる。
【００５０】
この構成によれば、給気ユニット開口６および幕板開口８の上下方向の調整をした後に、給気ボックス３と幕板７との固定が簡単にでき、施工が容易にできる。
【００５１】
なお、長穴１１の数および大きさは、給気ボックス３の大きさ等に合わせて適宜設定し、長穴１１に合わせて位置決め部材１２の数および大きさ等も適宜設定するものとする。
【００５２】
なお、図１０に示すように、上側ボックス９は、気密保持部材１３を備えていても良い。すなわち、上側ボックス９は、幕板７に当接する面の給気ユニット開口６近傍に気密保持部材１３（例えばパッキン）を備えていても良い。また、気密保持部材１３は、幕板７と上側ボックス９とで仕切られる空間を塞ぐように設けられ、幕板７に押し当てられることで幕板７と上側ボックス９とで仕切られる空間を塞ぐ構成としても良い。
【００５３】
このとき、幕板開口８と給気ユニット開口６の間に気密保持部材１３が密着して入ることとなる。これにより、外気は、給気送風部２、給気ボックス３の内部、および給気ユニット開口６を順に通過し、その後、給気ボックス３と幕板７の間の隙間などの別方向に外気が漏れることが気密保持部材１３により抑制され、幕板開口８を介して室内に外気を効率的に送風される。
【００５４】
なお、気密保持部材１３は弾性を有する材質からなることが好ましい。
【００５５】
また、図４に示すように、給気ユニット１は、フィルター１４およびダンパー１５を備えていても良い。
【００５６】
フィルター１４は、給気送風機５により給気口４から吸い込まれた外気が通過し、外気の空気を清浄化する。
【００５７】
ダンパー１５は、給気送風機５から送風される外気の取入れ、遮断を調整する。すなわちダンパー１５は、室内に給気する外気風量を調整する。
【００５８】
なお、フィルター１４およびダンパー１５は、下側ボックス１０の内部に設けられる。
【００５９】
フィルター１４およびダンパー１５を備えている場合、フィルター１４とダンパー１５の両部品を下側ボックス１０に集約させる。これにより、上側ボックス９は、下側ボックス１０が全て収まる空間を内部に確保できることとなるので、上側ボックス９の上下方向の可動範囲が大きく取れ、多様な天井高さに対応できる。
【００６０】
（実施の形態２）
実施の形態１と同様の構成については同じ符号を付し、詳細な説明は省略する。
【００６１】
図７〜図１０は、レンジフードに給気ユニットを施工した図である。なお、図１０は図８のＡ−Ａ断面を示す断面図である。
【００６２】
実施の形態２に係るレンジフード４０は、フード部１６と、排気送風部１８と、給気ユニット１と、を備える。
【００６３】
フード部１６は、調理時に発生する油などを含む汚染された空気を吸い込むフード部吸込口３１と、レンジフード４０の運転を操作する操作部３０と、を有する。
【００６４】
排気送風部１８は、フード部１６の上方に設けられ、吸込口１７から吸い込まれた空気を排気する排気送風機２７を内部に備えている。
【００６５】
給気ユニット１は、例えば排気送風部１８の上方に、レンジフード４０と一体に設けられる。
【００６６】
図９の破線矢印で示すように、調理時に発生する油などを含む汚染された空気は、フード部吸込口３１から吸い込まれ、吸込口１７を介して排気送風部１８内にある排気送風機２７を通り、屋外に排出される。このとき、外気は、図９の実線矢印で示すように、給気口４から給気送風部２内の給気送風機５を介し、給気ボックス３内を通り、幕板開口８から室内に送風される。
【００６７】
このように、レンジフード４０と給気ユニット１が一体となるので、レンジフード４０、給気ユニット１、幕板７の施工が容易にできる。
【００６８】
図１１に示すように、幕板開口８にルーバー２０を備えていても良い。
【００６９】
幕板開口８は、幕板７の天井側端部１９近傍に設けられる。
【００７０】
ルーバー２０は、幕板開口８からの外気の吹き出し方向を調整する。例えば、ルーバー２０が回動することによって、外気が天井側から床面側へ向かって吹き出されるよう調整される。
【００７１】
上記構成において、幕板開口８を幕板７の天井側端部１９の近傍に設けることで、排気送風部１８の排気吸込口（例えばフード部吸込口３１）と室内への外気の送風吹出口（例えば幕板開口８）との距離を空けることができる。さらに、幕板開口８に設けたルーバー２０で、外気の吹き出し方向を変えることとなるので、排気と外気とのショートカットを抑制できる。さらに、使用者や天井に直接外気が当たることをできるため、使用者が寒気を感じたり、天井が汚れたりするなどの不満を改善できる。
【００７２】
（実施の形態３）
実施の形態１および２と同様の構成については同じ符号を付し、詳細な説明は省略する。
【００７３】
図１１〜図１４は、例えばオープン型のキッチン対応のレンジフードに給気ユニットを施工した図である。
【００７４】
実施の形態３に係るレンジフード４０は、天井に固定される、例えばオープン型のキッチン対応のレンジフードであって、幕板７が取り付けられる。
【００７５】
幕板７は、第１幕板２１と、第２幕板２２と、を含む。
【００７６】
第１幕板２１は、フード部１６に接続され、第２幕板２２は、天井および第１幕板２１に接続される。
【００７７】
第２幕板２２は、幕板開口８を有し、上下方向に可動する。
【００７８】
給気ユニット１は、第２幕板２２に接続される。
【００７９】
上記構成によれば、幕板開口８が設けられた上下方向に可動する第２幕板２２と、給気ユニット１とは開口部（幕板開口８および給気ユニット開口６）の高さ位置が合ったまま上下方向に可動が可能となる。オープン型のキッチン等の場合は特に天井高さが多種多様であるため、多様な天井高さに対応できるという効果をさらに高めることができる。
【００８０】
以上、本発明に係るレンジフード用給気ユニットおよびこれを備えたレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８１】
本発明に係るレンジフード用給気ユニットおよびこれを備えたレンジフードは、高さが変わる幕板給気口に対し容易に施工できることを可能とするものであるので、給気を必要とする換気扇等として有用である。
【符号の説明】
【００８２】
１    給気ユニット
２    給気送風部
３    給気ボックス
４    給気口
５    給気送風機
６    給気ユニット開口
７    幕板
８    幕板開口
９    上側ボックス
１０    下側ボックス
１１    長穴
１２    位置決め部材
１３    気密保持部材
１４    フィルター
１５    ダンパー
１６    フード部
１７    吸込口
１８    排気送風部
１９    天井側端部
２０    ルーバー
２１    第１幕板
２２    第２幕板
２３    下側箱部
２４    下側蓋部
２５    上側箱部
２６    上側蓋部
２７    排気送風機
３０    操作部
３１    フード部吸込口
４０    レンジフード
５０    給気送風機ボックス
【図１】
2019060550.tif 000003
【図２】
2019060550.tif 000004
【図３】
2019060550.tif 000005
【図４】
2019060550.tif 000006
【図５】
2019060550.tif 000007
【図６】
2019060550.tif 000008
【図７】
2019060550.tif 000009
【図８】
2019060550.tif 000010
【図９】
2019060550.tif 000011
【図１０】
2019060550.tif 000012
【図１１】
2019060550.tif 000013
【図１２】
2019060550.tif 000014
【図１３】
2019060550.tif 000015
【図１４】
2019060550.tif 000016
【図１５】
2019060550.tif 000017